(57)【要約】      （修正有）【課題】兆番などを回転軸として開閉する蓋などを任意の位置で停止させたり、急速な開閉を防ぐために用いるダンピングステーに関して、蓋などの開き度合いによらずダンピング力を常に一定に保ち、ダンピング力を任意に設定可能とし、広範な開閉を可能とするマグネットダンピングステーを提供する。【解決手段】強磁性体で構成するプレート１に対して、非磁性体の緩衝材を挟むか、または密着させる構成でマグネット２，３が連結固定具５によりプレート面上に連結配置されている。プレート１は回転自在であるが、マグネット２，３の磁力による吸引力、ならびにマグネットとの摩擦力により生成されるダンピング力により、プレートへの強制回転力がダンピング力を上回らない場合プレートは停止した状態を維持する。【選択図】図１
0003202406.tif 000002
【実用新案登録請求の範囲】
【請求項１】
兆番などを回転軸として開閉する蓋、扉などのダンピング機能付きステーに関して、連結配置した複数のマグネットのそれぞれの吸着面と、強磁性体で形成するプレート面とを相互に吸引配置するとともに、マグネットを交換可能な構造として任意の磁力のマグネットを組み合わせることにより、連結するマグネットそれぞれの磁力を合算し総合吸引力を形成し、総合吸引力ならびにプレートとマグネットとの摩擦力によりダンピング力を生成するマグネットダンピングステー。
【考案の詳細な説明】
【技術分野】
【０００１】連結配置した複数のマグネットのそれぞれの吸着面と、強磁性体で形成するプレート面とを相互に吸引配置するとともに、マグネットを交換可能な構造として任意の磁力のマグネットを組み合わせることにより、連結するマグネットそれぞれの磁力を合算し総合吸引力を形成し、総合吸引力ならびにプレートとマグネットとの摩擦力によりダンピング力を生成するステー。
【背景技術】
【０００２】兆番などを回転軸として開閉する蓋などを任意の位置で停止させたり、急速な開閉を防ぐために、バネ、オイル、エアなど各種のダンピング機能を備えたステー構造が種々実用化されているが、そのいずれもが、蓋などの開き度合いによりダンピング力が一定では無く、スムーズで安定した開閉には課題を有しているとともに、開閉可能な範囲もステーのアームなどに制限されて狭いなどの難点を有している。
【考案が解決しようとする課題】
【０００３】兆番などを回転軸として開閉する蓋などを任意の位置で停止させたり、急速な開閉を防ぐために用いるダンピングステーに関して、蓋などの開き度合いによらずダンピング力を常に一定に保ち、ダンピング力を任意に設定可能とし、広範な開閉を可能とするステーを実現する。
【課題を解決するための手段】
【０００４】連結配置した複数のマグネットのそれぞれの吸着面と、強磁性体で形成するプレート面とを相互に吸引させて配置するとともに、マグネットを交換可能な構造として所要の磁力のマグネットを組み合わせることにより、連結するマグネットそれぞれの磁力を合算した総合吸引力を形成し、総合吸引力ならびにプレートとマグネットとの摩擦力によりダンピング力を生成する。
【考案の効果】
【０００５】強磁性体のプレートと複数のマグネットとの吸引力、ならびにプレートとマグネットとの摩擦力でダンピング力を生成するため、蓋などの開き度合いによらず常に一定の吸引力で、かつマグネットを選択することにより連結するマグネットそれぞれの磁力を合算した総合吸引力を任意に形成できるため、ダンピング力は最適化されるとともに、蓋などの開閉に必要な力が開閉度合いによらず一定で、広範な開閉を可能とするステーが得られると共に、マグネットの磁力の減衰は極めて少ないため長期間安定したダンピング力を得ることが可能である。
【考案を実施するための形態】
【０００６】本考案によるマグネットダンピングステーの実施形態を図２（平面図）、図３（側面図）に示す。強磁性体で構成するプレート１に対して、非磁性体の緩衝材を挟むか、または密着させる構成でマグネット２，３，４が連結固定具５によりプレート面上に連結配置されている。プレート１は回転軸６により矢印９の方向に回転自在であるが、マグネット２，３，４の磁力による吸引力、ならびにマグネットとの摩擦力により生成されるダンピング力により、プレートへの強制回転力がダンピング力を上回らない場合プレートは停止した状態を維持する。たとえば図１の箱を例とすれば、マグネットの連結固定具５を箱の蓋６に固定しプレート１を固定部７に固定し、蓋の自重がダンピング力を下回っている場合は蓋を任意の位置で停止させ、蓋を強制的に開閉すればダンピング力に応じたブレーキが掛かる。
【０００７】蓋などを任意の位置で停止させたり、急速な開閉を防ぐためのダンピング機能付きステーとしては一般的には図５、１０に示すような、エア、オイル、バネなどによるダンパーが実用化されているが、何れも、アームの伸び長には制限が有るため蓋などの開き範囲が規制され、開き度合いによってダンピング力が異なるなどの課題を抱えている。一方、本考案によるダンピング機能は強磁性体のプレートと複数個のマグネットとの総合吸引力と、プレートとマグネットとの摩擦力でダンピング力を生成しているため、マグネットの磁力を選ぶことにより複数のマグネトそれぞれの吸引力を合算した総合吸引力を任意に設定できるため、蓋などの開閉に必要な力が開閉度合いによらず一定で最適化出来るとともに、小型で、プレートを大きくすれば広範な開閉を可能とするダンピングステーが得られる。
【実施例】
【０００８】図１に本考案に基づくマグネットダンピングステーを箱６，７に取り付けた実施例を示す。ステーは強磁性体のステンレス（ＳＵＳ４３０）で形成されるプレート１，ネオジゥムマグネット２，３、ならびに非磁性体のステンレス（ＳＵＳ３０４）のマグネット連結固定具５で構成される。箱はＡＢＳ樹脂でＨ，Ｄ，Ｗ；２００×３００×４００ｍｍ、プレートは半径５０ｍｍ、厚さ２ｍｍ、マグネットはφ１０×５ｍｍの円柱形である。プレートは固定部７に固定され、マグネット２，３はマグネット連結固定具５によって蓋６に固定され、蓋は兆番８、９により回転開閉が自在である。プレートはマグネットの磁力によりマグネット２，３に常時吸引されているため、マグネット、プレートには磁力により常に一定のダンピング力が作用しており、ダンピング力が蓋６の重量を超えている場合に蓋は任意の位置で自由に停止させることが出来る。【０００９】本例ではマグネットは２個で構成し、蓋にマグネットを、固定部にプレートを固定しているが、蓋の重量見合いでマグネットの磁力と個数を最適に選択するとともに、マグネットとプレートの取り付けを逆にすることも可能である。必要な磁力を一個のマグネットで得るより、磁力の弱いマグネットを複数個使用して総合吸引力を得る本考案の方式の方が、それぞれのマグネットによるプレートへの押圧を弱く出来るため、プレートやマグネットの移動においてマグネットとプレートの擦り損傷を少なく出来る。また、プレートとしてはステンレスに限らず鉄などの磁性体、マグネットとしてはフェライト、マグネット連結固定具としては真鍮でも良いなど、機能、性能、各種材質、ディメンジョンなどに関しては、本考案の趣旨を逸脱しない範囲であれば種々変形実施が可能である。
【図面の簡単な説明】
【００１０】
【図１】本考案の一実施例を示す概念図
【図２】マグネットダンピングステーの実施形態を示す平面図
【図３】マグネットダンピングステーの実施形態を示す側面図
【図４】一般的なダンピングステーの概念図
【符号の説明】  １  プレート                            ７  箱の固定部
２  マグネット                          ８  兆番
３  マグネット                          ９  兆番
４  マグネット                        １０  一般的なダンパーステー
５  マグネット連結固定具
６  箱の蓋
【図１】
0003202406.tif 000003
【図２】
0003202406.tif 000004
【図３】
0003202406.tif 000005
【図４】
0003202406.tif 000006